(57)【要約】      （修正有）【課題】ＤＲＳＣの上位層で通信を行うアプリケーション層からのデータを一ないし複数の移動局通信装置に対して送信する通信システムにおいて、移動局通信装置へのデータを送信する際に、スループットの低下を抑制し、各移動局通信装置に対するデータの送信速度を公平化することが可能な基地局通信装置及び通信方法を提供する。【解決手段】ＴＣＰ／ＩＰ通信等を行うアプリケーションサブレイヤであるアダプティブ層のデータ処理部２１を設ける。アプリケーション部１１１、１１２で受信したデータを移動局通信装置へ送信する際に、移動局通信装置のＡＳＬでのデータ分割の対応可否に応じて、アプリケーションデータ分割処理部２１２又は通信データ分割処理部３１１でデータを基本スロットサイズ以下のデータパケットに分割し、これをスロット割り付け処理部３１３で調整して通信フレームの各ＭＤＳに割り付ける。【選択図】図２
2005223425.tif 000002
【特許請求の範囲】
【請求項１】
狭域通信による無線通信を行う第１の通信方式の通信層の上位層で第２の通信方式での通信を行うアプリケーション層を有し、前記アプリケーション層から前記通信層を介して移動局通信装置へデータ通信を行う通信システムの基地局通信装置において、
前記移動局通信装置が対応するデータ分割方式を判定する移動局管理手段と、
前記移動局通信装置へ送信する前記データを、前記判定されたデータ分割方式に応じて、通信フレームのデータスロットのサイズ以下に分割するデータ分割手段と、
前記移動局通信装置の各々について前記判定されたデータ分割方式に基づいて、前記データスロットの位置を調整して前記分割されたデータを割り付けるスロット割り付け手段と、
を備える基地局通信装置。
【請求項２】
前記データスロットに割付けるためのデータを蓄積するデータ蓄積手段をさらに備え、
前記データ分割手段は、第１の分割方式で前記データの分割を行う第１のデータ分割手段と、第２の分割方式で前記データの分割を行う第２のデータ分割手段とを有し、
前記第１のデータ分割手段は、前記判定されたデータ分割方式として第１の分割方式に対応する移動局通信装置へ送信する前記アプリケーション層からのデータを前記データスロットのサイズ以下に分割し、
前記データ蓄積手段は、前記第１のデータ分割手段で分割された前記データと、前記第１のデータ分割手段で分割されていないデータとを蓄積し、
前記第２のデータ分割手段は、前記データ蓄積手段に蓄積された前記第１のデータ分割手段で分割されていないデータを前記データスロットのサイズ以下に分割する請求項１記載の基地局通信装置。
【請求項３】
前記第１の分割方式は、前記移動局通信装置との通信のプロトコルスタックにおける、前記アプリケーション層と前記狭域通信による無線通信を行う通信層との間のアプリケーションサブレイヤにおいて行われるデータ分割であり、前記第２の分割方式は、前記移動局通信装置との通信のプロトコルスタックにおける、前記通信層において行われるデータ分割である請求項２に記載の基地局通信装置。
【請求項４】
前記スロット割り付け手段は、前記第１の分割方式に対応した移動局通信装置および前記第２の分割方式に対応した移動局通信装置の双方と通信路が確立されている場合に、所定の通信フレーム数において、前記移動局通信装置の間で前記第１の分割方式で分割されたデータのスロット数と前記第２の分割方式で分割されたデータのスロット数とがほぼ等しくなるように前記分割されたデータの割り付け位置を調整して、前記分割されたデータを前記通信フレームのデータスロットに割り付ける請求項２または３記載の基地局通信装置。
【請求項５】
前記スロット割り付け手段は、前記移動局通信装置宛の前記第１の方式で分割されたデータを一通信フレームにつき一つのデータスロットに割り付ける請求項２ないし４のいずれか一項記載の基地局通信装置。
【請求項６】
前記スロット割り付け手段は、前記第１の分割方式で分割されたデータを一通信フレームにつき複数のデータスロットに割り付ける請求項２ないし４のいずれか一項記載の基地局通信装置。
【請求項７】
前記スロット割り付け手段は、前記第２の分割方式で分割されたデータを一通信フレームにつき一つのデータスロットに割り付ける請求項２ないし６のいずれか一項記載の基地局通信装置。
【請求項８】
狭域通信による無線通信を行う第１の通信方式の通信層の上位層で第２の通信方式での通信を行うアプリケーション層を有し、前記アプリケーション層から前記通信層を介して移動局通信装置へデータ通信を行う通信システムの基地局通信装置における通信方法において、
前記移動局通信装置が対応するデータ分割方式を判定するステップと、
前記移動局通信装置へ送信する前記データを、前記判定されたデータ分割方式に応じて、通信フレームのデータスロットのサイズ以下に分割するステップと、
前記移動局通信装置の各々について前記判定されたデータ分割方式に基づいて、前記データスロットの位置を調整して前記分割されたデータを割り付けるスロット割り付けるステップと、
を有する通信方法。
【発明の詳細な説明】
【技術分野】
【０００１】
本発明は、狭域通信による無線通信を用いて移動局通信装置との間でデータ通信を行う基地局通信装置に関する。
【背景技術】
【０００２】
狭域通信（ＤＳＲＣ：Dedicated Short Range Communication）による無線通信システムは、有料道路の自動料金収受システム（ＥＴＣ：Electronic Tool Collection system）等に実用化されている。近年、自動車等の車両や車両交通システムにおける情報化の進展と共に、狭域通信を用いて様々なサービスを行うことが考えられ、例えばインターネット等にも利用されているＩＰネットワークに接続した路側装置等の基地局通信装置を介して、道路を走行する車両に搭載された車載器等の移動局通信装置と、ＩＰネットワークに接続されたサーバ装置やシステム等との間でデータ交換を行う通信システムが検討されている。狭域通信を用いた通信システムとしては、交通情報システムにおいて旅行情報サービスを提供するもの（特許文献１）や、地理情報サービスを提供するもの（特許文献２）などがある。
【０００３】
ＤＳＲＣを通信システム階層の下位層に相当する通信層に用い、上位層に相当するアプリケーション層にＴＣＰ／ＩＰ通信を用いて通信システムを構成する場合、これらの異なる通信方式であるＤＳＲＣとＴＣＰ／ＩＰ通信との間で同期をとり、データ通信の橋渡しをするには、中間にアダプティブ層を設ける必要がある。ＤＳＲＣ上でのデータ通信に用いるアダプティブ層として、ＡＲＩＢ  ＴＲ−Ｔ１７  １．０版において、アプリケーションサブレイヤ（以下、ＡＳＬという）の標準仕様の策定がなされている（非特許文献１）。
【０００４】
ＤＳＲＣにおいて基地局通信装置から移動局通信装置にデータを送信する場合、複数のスロットに時分割して構成された通信フレームを単位とした同期式時分割通信によって通信が行われる。スロットには、次に示す４種類がある。
【０００５】
ＦＣＭＳ（Frame Control Message Slot）は、フレームの先頭に位置して、そのフレームにおける送受信スロットの割り当て等のスロット情報が記されている。
【０００６】
ＭＤＳ（Message Data Slot）は、通信データを格納して送受信を行うスロットであり、フレームをＱＰＳＫ方式で変調する場合で１９３バイト、ＡＳＫ方式で変調する場合で６５バイトのデータを格納できる。
【０００７】
ＡＣＴＳ（ACTivation Slot）は、通信エリアに進入してきた移動局通信装置から基地局通信装置に対して接続を要求する際に使用するアップリンク専用のスロットである。
【０００８】
また、ＷＣＮＳ（Wireless Call Number Slot）は、移動局通信装置の固有情報が入ったスロットで、基地局通信装置に対して送信される。
【０００９】
基地局通信装置の上位層であるアプリケーション層から移動局通信装置に対するデータはＭＤＳに格納されて送信されるが、ＭＤＳに格納可能なサイズに分割する必要がある。  このデータの分割には、ＡＳＬで行う方法と、ＤＳＲＣの通信層で行う方法の２種類がある。
【００１０】
ＤＳＲＣで分割する場合は、分割したデータは同一の移動局通信装置に対して１つのフレーム上に１個のみとする制約があるものの、どの移動局通信装置についても適用可能である。
【００１１】
一方、ＡＳＬで分割する場合、同一の移動局通信装置に対して１つのフレーム上に分割したデータのスロットを複数配置することができるが、送信対象の移動局通信装置がこれに対応している必要がある。この方法によると、１つの通信フレームで複数のデータを送信できるので、スループットが向上する。
【００１２】
基地局通信装置の通信エリアに、ＡＳＬでのデータ分割に対応する移動局通信装置と、ＤＳＲＣでのデータ分割にのみ対応した移動局通信装置とが各１台あって、それぞれに同じサイズのデータを送信する場合は、ＡＳＬでのデータ分割に対応する移動局通信装置に対する送信スループットが大きい。
【特許文献１】特開２００２−１９７５９１号公報
【特許文献２】特開２００２−２１６２９２号公報
【非特許文献１】「挟域通信（ＤＳＲＣ）アプリケーションサブレイヤ標準仕様及びそれを用いた陸上移動局の接続性に係る試験項目・試験条件」第１．０版、社団法人  電波産業会、２００３年１０月１６日、Ｐ．４−８
【発明の開示】
【発明が解決しようとする課題】
【００１３】
しかしながら、通信エリアに、ＡＳＬでのデータ分割に対応する移動局通信装置と、ＡＳＬでのデータ分割に対応しない移動局通信装置とが多数混在すると、本来スループットの向上を見込んだＡＳＬでのデータ分割に対応する移動局通信装置のデータ送信時のスループットが極端に低下するおそれがある。
【００１４】
これを回避しようとして、ＡＳＬでのデータ分割を行わず、すべてのデータをＤＳＲＣで分割すると、通信エリアに移動局通信装置が多数混在するが、実際に通信を行っている移動局通信装置が１台であってもＤＳＲＣでデータ分割を行うため、データ送信におけるスループットが低下してしまう。
【００１５】
本発明は、上記従来の事情に鑑みてなされたものであって、ＤＲＳＣの上位層で通信を行うアプリケーション層からのデータを一ないし複数の移動局通信装置に対して送信する通信システムにおいて、移動局通信装置へのデータを送信する際に、スループットの低下を抑制し、各移動局通信装置に対するデータの送信速度を公平化することが可能な基地局通信装置及び通信方法を提供することを目的とする。
【課題を解決するための手段】
【００１６】
本発明の基地局通信装置は、狭域通信による無線通信を行う第１の通信方式の通信層の上位層で第２の通信方式での通信を行うアプリケーション層を有し、前記アプリケーション層から前記通信層を介して移動局通信装置へデータ通信を行う通信システムの基地局通信装置において、
前記移動局通信装置が対応するデータ分割方式を判定する移動局管理手段と、
前記移動局通信装置へ送信する前記データを、前記判定されたデータ分割方式に応じて、通信フレームのデータスロットのサイズ以下に分割するデータ分割手段と、
前記移動局通信装置の各々について前記判定されたデータ分割方式に基づいて、前記データスロットの位置を調整して前記分割されたデータを割り付けるスロット割り付け手段と、
を備える。
【００１７】
この構成により、ＤＲＳＣの上位層で通信を行うアプリケーション層からのデータを移動局通信装置に対して送信する通信システムにおいて、通信エリアに、移動局通信装置の各々に対して対応するデータ分割方式に応じてデータの割り付けを調整するので、移動局通信装置へのデータ送信時におけるスループットの低下を抑制し、各移動局通信装置に対するデータの送信速度を公平化することができる。
【００１８】
また、本発明の一態様として、上記の基地局通信装置において、前記データスロットに割付けるためのデータを蓄積するデータ蓄積手段をさらに備え、
前記データ分割手段は、第１の分割方式で前記データの分割を行う第１のデータ分割手段と、第２の分割方式で前記データの分割を行う第２のデータ分割手段とを有し、
前記第１のデータ分割手段は、前記判定されたデータ分割方式として第１の分割方式に対応する移動局通信装置へ送信する前記アプリケーション層からのデータを前記データスロットのサイズ以下に分割し、
前記データ蓄積手段は、前記第１のデータ分割手段で分割された前記データと、前記第１のデータ分割手段で分割されていないデータとを蓄積し、
前記第２のデータ分割手段は、前記データ蓄積手段に蓄積された前記第１のデータ分割手段で分割されていないデータを前記データスロットのサイズ以下に分割する。
【００１９】
この構成により、第１のデータ分割手段および第２のデータ分割手段が設けられているので、データ分割方式に応じてデータの分割を行うことができる。
【００２０】
また、本発明の一態様として、上記の基地局通信装置において、前記第１の分割方式は、前記移動局通信装置との通信のプロトコルスタックにおける、前記アプリケーション層と前記狭域通信による無線通信を行う通信層との間のアプリケーションサブレイヤにおいて行われるデータ分割であり、前記第２の分割方式は、前記移動局通信装置との通信のプロトコルスタックにおける、前記通信層において行われるデータ分割である。
【００２１】
この構成により、ＡＳＬでのデータ分割に対応する移動局通信装置とＡＳＬでのデータ分割に対応しない移動局通信装置とが多数混在した場合でも、移動局通信装置へのデータ送信時におけるスループットの低下を抑制し、各移動局通信装置に対するデータの送信速度を公平化することができる。
【００２２】
また、本発明の一態様として、上記の基地局通信装置において、前記スロット割り付け手段は、前記第１の分割方式に対応した移動局通信装置および前記第２の分割方式に対応した移動局通信装置の双方と通信路が確立されている場合に、所定の通信フレーム数において、前記移動局通信装置の間で前記第１の分割方式で分割されたデータのスロット数と前記第２の分割方式で分割されたデータのスロット数とがほぼ等しくなるように前記分割されたデータの割り付け位置を調整して、前記分割されたデータを前記通信フレームのデータスロットに割り付ける。
【００２３】
この構成により、通信エリアに、ＡＳＬでのデータ分割に対応する移動局通信装置とＡＳＬでのデータ分割に対応しない移動局通信装置とが多数混在した場合でも、ＡＳＬでのデータ分割に対応する移動局通信装置へのデータ送信時におけるスループットの低下を抑制することができる。
【００２４】
また、本発明の一態様として、上記の基地局通信装置において、前記スロット割り付け手段は、前記移動局通信装置宛の前記第１の方式で分割されたデータを一通信フレームにつき一つのデータスロットに割り付ける。
【００２５】
この構成により、通信エリアに、ＡＳＬでのデータ分割に対応する移動局通信装置とＡＳＬでのデータ分割に対応しない移動局通信装置とが多数混在した場合でも、ＡＳＬでのデータ分割に対応する移動局通信装置へのデータ送信時におけるスループットの低下を抑制するとともに、移動局通信装置間のデータ送信の公平性を高めることができる。
【００２６】
また、本発明の一態様として、上記の基地局通信装置において、前記スロット割り付け手段は、前記第１の分割方式で分割されたデータを一通信フレームにつき複数のデータスロットに割り付ける。
【００２７】
この構成により、通信エリアにＡＳＬでのデータ分割に対応する移動局通信装置とＡＳＬでのデータ分割に対応しない移動局通信装置とが多数混在した場合でも、ＡＳＬでのデータ分割に対応する移動局通信装置へのデータ送信時におけるスループットの低下を抑制することができ、また、移動局通信装置は第１のデータ方式で分割されたデータを早く組み立てることができる。
【００２８】
また、本発明の一態様として、上記の基地局通信装置において、前記スロット割り付け手段は、前記第２の分割方式で分割されたデータを一通信フレームにつき一つのデータスロットに割り付ける。
【００２９】
この構成により、通信エリアにＡＳＬでのデータ分割に対応する移動局通信装置とＡＳＬでのデータ分割に対応しない移動局通信装置とが多数混在した場合でも、ＡＳＬでのデータ分割に対応する移動局通信装置へのデータ送信時におけるスループットの低下を抑制することができる。
【００３０】
本発明の通信方法は、狭域通信による無線通信を行う第１の通信方式の通信層の上位層で第２の通信方式での通信を行うアプリケーション層を有し、前記アプリケーション層から前記通信層を介して移動局通信装置へデータ通信を行う通信システムの基地局通信装置における通信方法において、
前記移動局通信装置が対応するデータ分割方式を判定するステップと、
前記移動局通信装置へ送信する前記データを、前記判定されたデータ分割方式に応じて、通信フレームのデータスロットのサイズ以下に分割するステップと、
前記移動局通信装置の各々について前記判定されたデータ分割方式に基づいて、前記データスロットの位置を調整して前記分割されたデータを割り付けるスロット割り付けるステップと、
を有する。
【００３１】
この方法により、ＤＲＳＣの上位層で通信を行うアプリケーション層からのデータを移動局通信装置に対して送信する通信システムにおいて、移動局通信装置の各々に対して対応するデータ分割方式に応じて移動局通信装置へのデータ送信時におけるスループットの低下を抑制し、各移動局通信装置に対するデータの送信速度を公平化することができる。
【発明の効果】
【００３２】
本発明によれば、ＤＲＳＣの上位層で通信を行うアプリケーション層からのデータを一ないし複数の移動局通信装置に対して送信する通信システムにおいて、移動局通信装置へのデータを送信する際に、スループットの低下を抑制し、各移動局通信装置に対するデータの送信速度を公平化することが可能な基地局通信装置及び通信方法を提供することができる。
【発明を実施するための最良の形態】
【００３３】
本実施形態では、狭域通信（ＤＳＲＣ）による無線通信を用いた通信システムとして、上位のアプリケーション層においてＴＣＰ／ＩＰ通信を行う通信システムを例示する。まず、本実施形態の通信システムの概要を説明する。
【００３４】
図１は、本発明の実施形態に係る通信システムの概略構成を示す図である。本実施形態の通信システムは、ＤＳＲＣによって双方向通信を行う、基地局通信装置１および一ないし複数の移動局通信装置２を有している。基地局通信装置１及び移動局通信装置２は、それぞれソフトウェア及びハードウェアを含む通信システム階層の階層構造をなしている。
【００３５】
基地局通信装置１は、上位のアプリケーション層としてのＴＣＰ／ＩＰ通信を行うネットワーク層に相当するアプリケーション部１１１、１１２と、中間のアダプティブ層としてのアプリケーションサブレイヤ（ＡＳＬ）に相当するデータ処理部２１と、下位の通信層としてのＤＳＲＣを行う通信処理部３１と、最下位の物理層に相当する基地局アンテナ４１１を含む無線部４１とを有して構成される。同様に、移動局通信装置２は、アプリケーション部１２１、１２２と、データ処理部２２と、通信処理部３２と、移動局アンテナ４２１を含む無線部４２とを有して構成される。
【００３６】
上記のような通信システムにおいて、アプリケーション部１１１、１１２で受信したデータを移動局通信装置２に対して送信する場合、前述したようにＡＳＬに相当するデータ処理部２１、又はＤＳＲＣに相当する通信処理部３１において、データを通信フレームのＭＤＳに格納可能なサイズの複数のデータパケットに分割すると共に、通信処理部３１でデータパケットを各通信フレームのＭＤＳに移動局通信装置２ごとに割り付けて送信を行う。このとき、移動局通信装置２は、自装置に割り当てられたスロットのデータのみ受信が可能である。
【００３７】
ここで、分割されたデータパケットの通信フレームに対するスロット割り付け動作の例について、図８に示すスロット割り付け図を用いて説明する。
【００３８】
図８において、基地局通信装置１の通信エリアには、ＡＳＬでのデータ分割に対応する移動局通信装置Ａ、Ｂ、Ｄ〜Ｇと、ＡＳＬでのデータ分割に対応しない移動局通信装置Ｃとが存在し、移動局通信装置Ａ、Ｂ、Ｄ〜Ｇへ送信するデータはパケットに分割されて、データパケット群８０１、８０２、８０４〜８０７を構成しているものとする。また、ＡＳＬでのデータ分割に対応しない移動局通信装置Ｃへ送信するデータは、予め定められた閾値を超えないデータサイズに分割されて、データパケット群８０３を構成しているものとする。
【００３９】
次に、このように構成されたデータパケット群８０１〜８０７は、通信処理部３１において１パケットごとに抜き取られ、通信フレーム８１１〜８１６のＦＣＭＳとＡＣＴＳの間に位置する３つのＭＤＳに順に割り付けられる。
【００４０】
まず、送信順序が１番目の通信フレーム８１１のＭＤＳには、通信の公平性に従ってパケットＡ−１、Ｂ−１と、データパケット群８０３のパケットＣ−１をスロットサイズに分割したＣ−１−（１）が割り付けられ、次いで、送信順序が２番目の通信フレーム８１２のＭＤＳには、パケットＤ−１、Ｅ−１及びＣ−１−（２）が割り付けられる。このとき、ＡＳＬでのデータ分割に対応しない移動局通信装置Ｃは、各通信フレームの同位置のスロットのみしか受信できないので、移動局通信装置Ｃへ送信するデータパケットＣ−１−（２）が通信フレーム８１２の３つ目のＭＤＳに割り付けられることになる。
【００４１】
同様にして、送信順序が３番目の通信フレーム８１３のＭＤＳにはパケットＦ−１、Ｇ−１、Ｃ−１−（３）が、４番目の通信フレーム８１４のＭＤＳにはパケットＡ−２、Ｂ−２、Ｃ−２−（１）が、５番目の通信フレーム８１５のＭＤＳにはパケットＦ−１、Ｇ−２、Ｃ−２−（２）が、そして６番目の通信フレーム８１６のＭＤＳにはパケットＤ−２、Ｅ−２及びＣ−２−（３）がそれぞれ割り付けられる。
【００４２】
ところで、送信順序が６番目のフレームまで割り付けが終了した時点において、データパケット群８０１、８０２、８０４〜８０７のデータパケットはそれぞれ２個しか割り付けられていないにもかかわらず、データパケット群８０３は全てのデータについて割り付けが完了している。
【００４３】
このことは、ＡＳＬでのデータ分割に対応する移動局通信装置Ａ、Ｂ、Ｄ〜Ｇは、ＡＳＬでのデータ分割に対応しない移動局通信装置Ｃに比較して、データの送信に３倍の通信時間を要することになり、送信時のスループットが低下することを示している。
【００４４】
これを解決するために、本実施形態の基地局通信装置では、ＤＲＳＣの上位層で通信を行うアプリケーション層からのデータを移動局通信装置に対して送信する際に、データを以下に説明するような方法に従って割り付けることにより、通信エリアにおいて、ＡＳＬでのデータ分割に対応する移動局通信装置と、ＡＳＬでのデータ分割に対応しない移動局通信装置とが混在した場合でも、ＡＳＬでのデータ分割に対応する移動局通信装置へのデータ送信時におけるスループットの低下を抑制し、各移動局通信装置に対する通信速度の公平化を図るものである。
【００４５】
図２は、本発明の実施形態に係る基地局通信装置の主要な概略構成を示す図である。本実施形態の基地局通信装置１は、前述したように、ソフトウェア及びハードウェアを含む通信システムの階層構造をなしており、アプリケーション部１１１、１１２と、データ処理部２１と、通信処理部３１と、無線部４１とを有して構成される。
【００４６】
アプリケーション部１１１、１１２は、例えばネットワークに接続するためのブラウザ等のアプリケーションであり、コンピュータソフトウェアの動作による各種機能によって実現されるものである。このアプリケーション部１１１、１１２は、ＴＣＰ／ＩＰ通信によって移動局通信装置２等の他の装置との間でデータの送受信処理を実行する。
【００４７】
データ処理部２１は、上位のアプリケーション層と下位の通信層との同期をとるためのもので、データ送受信部２１１と、アプリケーションデータ分割処理部２１２と、送信問い合わせ処理部２１３と、アプリケーション部登録部２１４と、アプリケーション部管理部２１５とを含む。
【００４８】
データ送受信部２１１は、アプリケーション部１１１、１１２と通信処理部３１との間でアプリケーションのファイルデータ等のＩＰパケットデータの送受信を行う。
【００４９】
アプリケーションデータ分割処理部２１２は、ＡＳＬでのデータ分割に対応する通信装置へ送信するデータを、ＤＳＲＣの通信フレームを構成するスロットの基本サイズ以下で第１のデータパケットに分割する（ＡＳＬでのデータ分割）。
【００５０】
送信問い合わせ処理部２１３は、ＤＳＲＣにおいて用いる送信問い合わせ要求を所定の時間間隔で生成する。この送信問い合わせ要求は、移動局通信装置２に対して送信すべきデータがあるか否かを問い合わせるためのデータチェックの機能と、移動局通信装置２が自装置の通信エリアにあるか否かを問い合わせるためのヘルスチェックの機能とを併せ有している。
【００５１】
アプリケーション部登録部２１４は、アプリケーション部１１１、１１２のうち使用するいずれかのアプリケーション部を登録するものである。また、アプリケーション部管理部２１５は、登録されたアプリケーション部によるアプリケーションの起動、終了、実行状況等を管理、監視するものである。
【００５２】
通信処理部３１は、ＤＳＲＣを用いて移動局通信装置２との間でデータの送受信処理を行うもので、通信データ分割処理部３１１と、通信データ退避部３１２と、スロット割り付け処理部３１３と、双方向通信送受信部３１４と、データ処理部管理部３１５と、移動局管理部３１６とを含む。
【００５３】
通信データ分割処理部３１１は、ＡＳＬでのデータ分割に対応しない移動局通信装置２へ送信するデータを通信フレームのスロットサイズ以下の第２のデータパケットに分割する（ＤＳＲＣでのデータ分割）。
【００５４】
通信データ退避部３１２は、第１のデータパケット及びアプリケーションデータ分割処理部２１２で分割されなかったデータを一時的に蓄積する。
【００５５】
スロット割り付け処理部３１３は、移動局通信装置２に送信する通信フレームの各スロットに第１及び第２のデータパケットを割り付け、フレーム編成を行う。
【００５６】
双方向通信送受信部３１４は、通信フレームに編成されたデータを移動局通信装置との間でＤＳＲＣにより送受信する。
【００５７】
データ処理部管理部３１５は、通信相手の移動局通信装置２のデータ処理部２２とのプロトコルの一致を判定すると共に、データ処理部の機能の相違やデータ送受信処理の際に生じるエラーの発生を監視する。
【００５８】
また、移動局管理部３１６は、送信問い合わせ要求に対する移動局通信装置２の応答状況により、自装置の通信エリアにある移動局通信装置２を把握し、通信相手となる移動局通信装置２を登録する。
【００５９】
無線部４１は、送受信する通信フレームの信号をＡＳＫ方式、ＱＰＳＫ方式等により変復調する変復調部４１３と、移動局通信装置２との間で無線通信を行う無線送受信部４１２と、電波を送受信する基地局アンテナ４１１とを有して構成される。
【００６０】
以上のように構成された本実施形態の基地局通信装置１の処理手順について、図３のフローチャートを用いて説明する。
【００６１】
まず、基地局通信装置１を起動（ステップＳ１０１）し、アプリケーション部登録部２１３にアプリケーション部１１１、１１２のうち、使用するアプリケーション部を選択して登録する（ステップＳ１０２）。なお、登録するアプリケーション部は１つないしは複数であってもよい。
【００６２】
次いで、移動局通信装置２との狭域通信の通信路を確立して通信を開始し、通信エリアに通信可能な移動局通信装置２が存在する場合に、移動局管理部３１６において通信対象の移動局通信装置２を把握して登録する（ステップＳ１０３）。
【００６３】
そして、データ処理部管理部３１５において、通信相手の移動局通信装置２におけるデータ処理部２２の機能（対応する通信プロトコルなど）が自装置のデータ処理部２１と一致するか否かを判定する（ステップＳ１０４）。その結果、一致しない場合は移動局通信装置２との通信リンクを切断して処理を終了する（ステップＳ１０５）。なお、ステップＳ１０４の判定は、移動局通信装置２との通信路確立の際に移動局から受信したデータに基づいて判定してもよいし、ステップＳ１０４の前にその都度移動局通信装置２に問い合わせて判断してもよい。
【００６４】
ステップＳ１０６では、移動局通信装置２との通信リンクを切断する判断をしたか否かを判定する。その結果、リンク切断を判断した場合は、ステップＳ１０７で移動局通信装置との通信リンクを切断して終了する。
【００６５】
一方、移動局通信装置との通信リンクを切断する判断をしない場合は、ステップＳ１０８において、データ送受信部２１１に上位層のアプリケーション部１１１、１１２から移動局通信装置２へ送信するデータが到着しているか否かを判定する。ここで、移動局通信装置２へ送信するデータが到着していない場合は、ステップＳ１０６へ戻り、移動局通信装置２との通信リンクを切断する判断をしたか否かを監視する。
【００６６】
ステップＳ１０８で、データ送受信部２１１に上位層のアプリケーション部１１１、１１２から移動局通信装置２へ送信するデータが到着している場合、移動局管理部３１６は、その送信するデータの宛先となる移動局通信装置２がＡＳＬでのデータ分割に対応するか否かを判定する（ステップＳ１０９）。
【００６７】
ここで、移動局通信装置２がＡＳＬのデータ分割に対応する場合は、アプリケーションデータ分割処理部２１２において、移動局通信装置２へ送信するデータをＤＳＲＣの通信フレームを構成するスロットサイズで第１のデータパケットに分割して（ステップＳ１１０）、通信データ退避部３１２に蓄積する（ステップＳ１１１）。
【００６８】
また、ステップＳ１０９で移動局通信装置２がＡＳＬでのデータ分割に対応しないと判定された場合は、データ送受信部２１１に到着した上位層のアプリケーション部１１１、１１２から移動局通信装置２へ送信するデータを通信データ退避部３１２に蓄積する（ステップＳ１１１）。
【００６９】
ステップＳ１１１における上記の処理後は、ステップＳ１０６の移動局通信装置２との通信リンクを切断する判断を行う手順に戻り、同様の処理を繰り返す。
【００７０】
次に、このようにして通信データ退避部３１２に蓄積された第１のデータパケット及びＡＳＬでのデータ分割に対応しない移動局通信装置２へ送信するデータを、通信フレームへ割り付ける手順について、２つの例を説明する。
【００７１】
第１の例は、ＡＳＬでのデータ分割に対応する移動局通信装置２に送信するデータの場合、分割した第１のデータパケットを同一通信フレームの複数のＭＤＳに連続して割り付ける例である。図４は、データパケットの通信フレームへの割り付け手順を示すフローチャートである。
【００７２】
まず、通信データ退避部３１２を検索して（ステップＳ２０１）、通信中のある一つの移動局通信装置へ送信するデータが蓄積されているか否かの判定を行う（ステップＳ２０２）。ここで、当該移動局通信装置へ送信するデータが蓄積されていなければ、通信中の異なる移動局通信装置へ送信するデータが蓄積されているか否かの判定を行い（ステップＳ２０３）、蓄積されていない場合は処理を終了する。
【００７３】
ステップＳ２０３において、通信中の異なる移動局通信装置へ送信するデータが蓄積されている場合は、ステップＳ２０４でそのデータを検索して、ステップＳ２０２の処理に戻る。
【００７４】
一方、ステップＳ２０２で通信中のある一つの移動局通信装置へ送信するデータが通信データ退避部３１２に蓄積されている場合は、そのデータ長が通信フレームを構成するＭＤＳの基本スロットサイズよりも大きいか否かを判定する（ステップＳ２０５）。
【００７５】
ここで、データ長が基本スロットサイズよりも大きくない場合、そのデータは図３のステップＳ１１０において分割した第１のデータパケットであり、ＡＳＬでのデータ分割に対応する移動局通信装置へ送信するデータであるか、または分割する必要のないサイズのデータであることが判明するので、スロット割り付け処理部３１３において、１つの通信フレーム当たり１〜複数のＭＤＳに連続して割り付け、必要に応じて、複数のフレームにわたって予約する（ステップＳ２０６）。
【００７６】
一方、ステップＳ２０５において、通信データ退避部３１２に蓄積されているデータのサイズが基本スロットサイズよりも大きい場合、そのデータは図３のステップＳ１０９でＡＳＬでのデータ分割に対応しないと判定した移動局通信装置へ送信するデータであることが判明するので、通信データ分割処理部３１１において基本スロットサイズ以下の第２のデータパケットに分割し（ステップＳ２０７）、スロット割り付け処理部３１３でこれを１つの通信フレーム当たり１つのＭＤＳに割り付け、複数のフレームにわたって予約する（ステップＳ２０８）。
【００７７】
次いで、ステップＳ２０９では、ステップＳ２０６、Ｓ２０８で予約した第１及び第２のデータパケットのスロット位置における先約の有無をスロット割り付け処理部３１３において確認し、実際に通信フレームに割り付けが可能であるか否かを判定する。その結果、割り付けが可能であれば、ステップＳ２０６、Ｓ２０８において予約処理した第１又は第２のデータパケットのデータサイズ、例えばデータパケットの数が、移動局通信装置の１台当たりに割り付けることが可能なデータサイズ、又はスロット数の設定値を超えているか否かを判定する（ステップＳ２１０）。
【００７８】
そして、予約したデータパケットのデータサイズが設定値を超えていない場合は、スロット割り付け処理部３１３において、通信フレームのＭＤＳに予約した通りに第１又は第２のデータパケットの割り付けを実行する（ステップＳ２１０）。
【００７９】
続いて、当該移動局通信装置へ送信するデータパケットのうち、割り付けが終わっていないデータパケットが通信データ退避部２１２にまだ蓄積されているか否かを判定する（ステップＳ２１２）。ここで、割り付けが終わっていないデータパケットが蓄積されていれば、ステップＳ２０５のデータ長を判定する手順に戻り、当該移動局通信装置に送信する全てのデータパケットの割り付けが完了するまでステップＳ２０７以下の処理を繰り返す。また、ステップＳ２１２において、当該移動局通信装置へ送信するデータパケットが通信データ退避部２１２に蓄積されていないと判定された場合は、ステップＳ２０４に進んで通信データ退避部２１２に蓄積されている通信中の異なる移動局通信装置へ送信するデータを検索する。
【００８０】
一方、ステップＳ２０９において当該移動局通信装置に送信するために予約したデータパケットが通信フレームに割り付けできない場合、またはステップＳ２１０で予約したデータパケットのサイズが設定値を超えている場合は、割り付けできない分のデータパケットの割り付け予約を解除し（ステップＳ２１３）、移動局通信装置へ送信するデータパケットの割り付けを後回しにして、通信データ退避部２１２に蓄積されている通信中の異なる移動局通信装置へ送信するデータを検索する（ステップＳ２０４）。なお、ステップＳ２０７において分割された第２のデータパケットを割り付けられない場合、または予約された移動局宛の第２のデータパケットのデータサイズが設定値を越えている場合には、その割り付けできない分の第２のデータパケットを含む第２の分割を行う前のデータパケット全体の割り付け予約を解除し、また、その第２の分割を行う前のデータパケットを通信データ退避部３１２に戻す。
【００８１】
図５は、移動局通信装置へ送信するデータを図３及び図４のフローチャートに示す手順に従って通信フレームに割り付ける場合の具体例を示すスロット割り付け図である。なお、上記ステップＳ２１０における、移動局通信装置宛のデータサイズの設定値は３スロットとする。
【００８２】
基地局通信装置１の通信エリアには、ＡＳＬでのデータ分割に対応する移動局通信装置Ａ、Ｂ、Ｄ〜Ｇと、ＡＳＬでのデータ分割に対応しない移動局通信装置Ｃが存在し、基地局通信装置１は各移動局通信装置とそれぞれ通信中である。
【００８３】
移動局通信装置Ａ、Ｂ、Ｄ〜Ｇに送信するデータは、アプリケーションデータ分割処理部２１２で基本スロットサイズ以下の第１のデータパケットに分割し（ステップＳ１１０）、データパケット群５０１、５０２、５０４〜５０７として通信データ退避部３１２に一時的に蓄積する（ステップＳ１１１）。
【００８４】
一方、移動局通信装置Ｃに送信するデータは、予め定められた閾値を超えないサイズのデータ長に分割したデータパケット群５０３として通信データ退避部３１２に一時的に蓄積する（ステップＳ１１１）。
【００８５】
次いで、通信中の移動局通信装置Ａに送信するためのデータをデータ退避部３１２から検索し（ステップＳ２０１）、抽出したデータパケット群５０１において、設定値である３スロット分を越えないデータパケットＡ−１〜Ａ−３を第１の通信フレーム５１１のＭＤＳに順に割り付けるように予約を行い（ステップＳ２０６）、割り付けを実行する（ステップＳ２１１）。
【００８６】
移動局通信装置Ａに送信するデータパケットの割り付けが終了する（ステップＳ２１２）と、次に、移動局通信装置Ｂに送信するために通信データ退避部３１２に一時的に蓄積したデータパケット群５０２を検索する（ステップＳ２０４）。そして、移動局通信装置Ａに送信するデータパケット群５０１の場合と同様の手順により、データパケット群５０２のデータパケットＢ−１〜Ｂ−３を第２の通信フレーム５１２のＭＤＳに順に割り付けられるように予約し（ステップＳ２０６）、割り付けを実行する（ステップＳ２１１）。
【００８７】
移動局通信装置Ｂに送信するデータパケットの割り付けが終了する（ステップＳ２１２）と、続いて、移動局通信装置Ｃに送信するために通信データ退避部３１２に一時的に蓄積したデータパケット群５０３を検索し（ステップＳ２０４）、データパケットＣ−１のデータ長を判定する（ステップＳ２０５）。
【００８８】
前述したように、データパケットＣ−１はＡＳＬでのデータ分割に対応しない移動局通信装置へ送信するデータであり、基本スロットサイズを超えているので、通信データ分割処理部３１１において基本スロットサイズ以下の３つのデータパケットＣ−１−（１）〜Ｃ−１−（３）に分割し（ステップＳ２０７）、スロット割り付け処理部３１３でこれらを第３〜第５の通信フレーム５１３〜５１５の先頭のＭＤＳにそれぞれ１個ずつ割り付けられるように予約し（ステップＳ２０８）、割り付けを実行する（ステップＳ２１１）。
【００８９】
移動局通信装置Ｃに送信するデータパケットの割り付けが終了する（ステップＳ２１２）と、移動局通信装置Ｄに送信するために通信データ退避部３１２に一時的に蓄積したデータパケット群５０４を検索し（ステップＳ２０４）、移動局通信装置Ａ及びＢに送信するデータパケット群５０１、５０２の場合と同様の手順により、データパケット群５０４のデータパケットＤ−１〜Ｄ−３を第３及び第４の通信フレーム５１３、５１４のＭＤＳに順に割り付けられるように予約し（ステップＳ２０６）、割り付けを実行する（ステップＳ２１１）。
【００９０】
以下、同様の手順によって、移動局通信装置Ｅ〜Ｇに送信する各データパケットＥ−１〜Ｅ−３、Ｆ−１〜Ｆ−３、Ｇ−１〜Ｇ−３を第３〜第７の通信フレーム５１３〜５１７に割り付けを実行する。
【００９１】
そして、また、移動局通信装置Ａに戻り、残っている蓄積データパケットＡ−４〜Ａ−６を第８フレームのＭＤＳ５１８に割り付け予約し（ステップＳ２０６）、割り付けを実行する（ステップＳ２１１）。順次、移動局通信装置Ｂ〜Ｇについても、第２〜第７の通信フレーム５１２〜５１７と同様の処理を行い、割り付けを実行する。
【００９２】
このような第１の例によれば、ＡＳＬでのデータ分割に対応する移動局通信装置２に送信するデータをデータパケットに分割して同一通信フレームの複数のＭＤＳに割り付けることにより、基地局通信装置１の通信エリアに、ＡＳＬでのデータ分割に対応する移動局通信装置２と、ＡＳＬでのデータ分割に対応しない移動局通信装置とが混在した場合でも、ＡＳＬでのデータ分割に対応する移動局通信装置２へのデータ送信時におけるスループットの低下を抑制でき、データの送信速度を公平化することが可能となる。
【００９３】
例えば、図５に示すように、第１の例によってデータパケットの割り付けを行った第１〜第７の通信フレーム５１１〜５１７では、ＡＳＬでのデータ分割に対応する移動局通信装置Ａ、Ｂ、Ｄ〜Ｇに送信するデータパケット、及びＡＳＬでのデータ分割に対応しない移動局通信装置Ｃに送信するデータパケットは、いずれもそれぞれ３個割り付けられている。従って、これら第１〜第７の通信フレーム５１１〜５１７を送信した場合、各移動局通信装置Ａ〜Ｇが受信できるデータ量は等しくなり、ＡＳＬでのデータ分割に対応する移動局通信装置Ａ、Ｂ、Ｄ〜Ｇのスループットの低下がない。
【００９４】
また、第１、第２の通信フレーム５１１、５１２等に示すように、ＡＳＬでのデータ分割に対応する同一の移動局通信装置へ送信するデータパケットを連続して割り付けることにより、これを受信した移動局通信装置において、データの組み立てが速くなるという利点がある。
【００９５】
図６は、移動局通信装置２へ送信するデータを通信フレームへ割り付ける手順の第２の例を説明するためのフローチャートである。なお、図４のフローチャートにおけるステップに対応する手順については同一符号を付す。
【００９６】
第２の例では、ＡＳＬでのデータ分割に対応する移動局通信装置２に送信するデータパケットを、１つの通信フレームに付き１個ずつ割り付けるという点が第１の例と異なる。
【００９７】
ステップＳ２０５において、データ長が基本スロットサイズ長より大きくないと判定された第１のブロックデータを、ステップＳ３０６で１つの通信フレームにつき最大１個のＭＤＳに割り付けるように予約し、１個を超える場合は次の通信フレームに割り付けるように予約する。
【００９８】
図７は、移動局通信装置へ送信するデータを図２及び図６のフローチャートに示す手順に従って通信フレームに割り付ける場合の具体例を示すスロット割り付け図である。なお、図５のスロット割り付け図と同一の移動局通信装置及びデータパケット群については、同一符号を付してある。また、この例においても、上記ステップＳ２１０における、移動局通信装置宛のデータサイズの設定値は３スロットとする。
【００９９】
通信中の移動局通信装置Ａに送信するための蓄積データをデータ退避部３１２から検索し（ステップＳ２０１）、抽出したデータパケット群５０１において、設定値である３スロット分を越えないデータパケットＡ−１〜Ａ−３を第１〜第３の通信フレーム７１１〜７１３の先頭のＭＤＳにそれぞれ割り付けるように予約を行い（ステップＳ３０６）、割り付けを実行する（ステップＳ２１１）。
【０１００】
移動局通信装置Ａに送信するデータパケットの割り付けが終了する（ステップＳ２１２）と、同様の手順により、移動局通信装置Ｂに送信するためのデータパケット群５０２のデータパケットＢ−１〜Ｂ−３を第１〜第３の通信フレーム７１１〜７１３の２番目のＭＤＳにそれぞれ割り付けるように予約を行い（ステップＳ３０６）、割り付けを実行する（ステップＳ２１１）。
【０１０１】
移動局通信装置Ｂに送信するデータパケットの割り付けが全て終了する（ステップＳ２１２）と、続いて、移動局通信装置Ｃに送信するために通信データ退避部３１２に一時的に蓄積されたデータパケット群５０３を検索して（ステップＳ２０４）、データパケットＣ−１のデータ長を判定し（ステップＳ２０５）、通信データ分割処理部３１１において基本スロットサイズ以下のデータパケットＣ−１−（１）〜Ｃ−１−（３）に分割する。
【０１０２】
スロット割り付け処理部３１３は、これらのデータパケットＣ−１−（１）〜Ｃ−１−（３）を第３〜第５の通信フレーム７１３〜７１５の３番目のＭＤＳにそれぞれ割り付けるように予約し（ステップＳ２０８）、割り付けを実行する（ステップＳ２１１）。
【０１０３】
移動局通信装置Ｃに送信するデータパケットの割り付けが全て終了する（ステップＳ２１２）と、移動局通信装置Ｄに送信するためのデータパケットＤ−１〜Ｄ−３を、移動局通信装置Ａ及びＢに送信するデータパケット群２０１、２０２の場合と同様の手順により、第３〜第５の通信フレーム７１３〜７１５の各１個のＭＤＳにそれぞれ割り付ける（ステップＳ２１１）。
【０１０４】
以下、同様の手順によって、移動局通信装置Ｅ〜Ｇに送信する各データパケットＥ−１〜Ｅ−３、Ｆ−１〜Ｆ−３、Ｇ−１〜Ｇ−３を第３の通信フレーム７１３以降の各１個のＭＤＳにそれぞれ割り付ける（ステップＳ２１１）。
【０１０５】
そして、また、移動局通信装置Ａに戻り、残っている蓄積されたデータパケットＡ−４〜Ａ−６を第７フレーム７１７以降に各１個のＭＤＳに割り付け予約し（ステップＳ２０６）、割り付けを実行する（ステップＳ２１１）。順次、移動局通信装置Ｂ〜Ｇについても同様の処理を行い、割り付けを実行する。
【０１０６】
このような第２の例によれば、ＡＳＬでのデータ分割に対応する移動局通信装置２に送信するデータパケットを１つの通信フレームに付き１個ずつ割り付けることにより、基地局通信装置１の通信エリアに、ＡＳＬでのデータ分割に対応する移動局通信装置２と、ＡＳＬでのデータ分割に対応しない移動局通信装置とが混在した場合でも、ＡＳＬでのデータ分割に対応する移動局通信装置２へのデータ送信時におけるスループットの低下を抑制でき、各移動局通信装置に対する通信速度を公平化することが可能となる。
【０１０７】
例えば、図７を参照すると、第２の例においてデータパケットの割り付けを行った第１〜第８の通信フレーム７１１〜７１８では、ＡＳＬでのデータ分割に対応する移動局通信装置Ａ及びＢに送信するデータパケットがそれぞれ５個、移動局通信装置Ｄ〜Ｆに送信するデータパケットがそれぞれ３個、移動局通信装置Ｇに送信するデータパケットが２個、そしてＡＳＬでのデータ分割に対応しない移動局通信装置Ｃに送信するデータパケットが３個割り付けられている。従って、これら第１〜第８の通信フレーム７１１〜７１７を送信した場合、各移動局通信装置Ａ〜Ｇが受信するデータ量に著しい差異はなく、ＡＳＬでのデータ分割に対応する移動局通信装置Ａ、Ｂ、Ｄ〜Ｇのスループットの低下がない。
【０１０８】
以上、移動局通信装置へのデータを通信フレームへ割り付ける手順について、２つの例をとって説明したが、他に種々の手順においてデータを割付けてもよい。この場合も、ＡＳＬ、ＤＳＲＣデータ分割が混在している場合は、なるべく全ての移動局通信装置が均等にデータ送信を行うことができることが好ましい。
【０１０９】
また、通信路が確立されている移動局通信装置の数や、ＡＳＬデータ分割およびＤＳＲＣデータ分割に対応している移動局通信装置の数や比率、それぞれの移動局通信装置へ送信すべきデータ量等に応じて、データ割り付け手順を変更してもよい。
【０１１０】
このような本発明の実施形態によれば、アプリケーション部１１１、１１２で受信したデータを移動局通信装置に対して送信する際に、移動局通信装置のＡＳＬでのデータ分割の対応可否に応じて、アプリケーションデータ分割処理部２１２又は通信データ分割処理部３１１でデータを基本スロットサイズ以下のデータパケットに分割し、これをスロット割り付け処理部３１３で調整して通信フレームの各ＭＤＳに割り付ける。
【０１１１】
これにより、通信エリアに、ＡＳＬでのデータ分割に対応する移動局通信装置と、ＡＳＬでのデータ分割に対応しない移動局通信装置とが多数混在した場合でも、ＡＳＬでのデータ分割に対応する移動局通信装置へ送信するデータの送信スループットの低下を抑制し、データの送信速度を公平化することができる。
【０１１２】
したがって、通信範囲に制限があるＤＳＲＣにおいて複数の移動局通信装置と通信を行う場合に、特定の移動局通信装置に対する送信スループットの低下によって、送信すべきデータを全て送信することができないといった事態を回避することが可能となる。
【０１１３】
また、ＡＳＬでのデータ分割に対応する移動局通信装置へ送信するデータパケットを、１つの通信フレームの複数のＭＤＳに連続して割り付けることにより、これを受信した移動局通信装置において、データの組み立てが速くなるという利点がある。
【産業上の利用可能性】
【０１１４】
本発明は、ＤＲＳＣの上位層で通信を行うアプリケーション層からのデータを一ないし複数の移動局通信装置に対して送信する通信システムにおいて、移動局通信装置へのデータを送信する際に、スループットの低下を抑制し、各移動局通信装置に対するデータの送信速度を公平化することが可能な効果を有し、狭域通信による無線通信を用いてデータの送受信を行う基地局通信装置及び通信方法等に有用である。
【図面の簡単な説明】
【０１１５】
【図１】本発明の実施形態に係る通信システムの概略構成を示す図
【図２】本発明の実施形態に係る基地局通信装置の主要な機能構成を示す図
【図３】本発明の実施形態の基地局通信装置における処理手順を説明するためのフローチャート
【図４】本発明の実施形態の基地局通信装置におけるデータパケットの通信フレームへの割り付け手順の第１の例を説明するためのフローチャート
【図５】本発明の実施形態の基地局通信装置におけるデータパケットの通信フレームへの割り付け状態の第１の例を説明するためのスロット割り付け図
【図６】本発明の実施形態の基地局通信装置におけるデータパケットの通信フレームへの割り付け手順の第２の例を説明するためのフローチャート
【図７】本発明の実施形態の基地局通信装置におけるデータパケットの通信フレームへの割り付け状態の第２の例を説明するためのスロット割り付け図
【図８】基地局通信装置におけるデータパケットの通信フレームへの割り付け状態を説明するためのスロット割り付け図
【符号の説明】
【０１１６】
１  基地局通信装置
２  移動局通信装置
１１１、１１２、１２１、１２２  アプリケーション部
２１、２２  データ処理部
３１、３２  通信処理部
４１、４２  無線部
２１１  データ送受信部
２１２  アプリケーションデータ分割処理部
２１３  アプリケーション部登録部
２１４  アプリケーション部管理部
３１１  通信データ分割処理部
３１２  通信データ退避部
３１３  スロット割り付け処理部
３１４  双方向通信送受信部
３１５  データ処理部管理部
３１６  移動局管理部
【図１】
2005223425.tif 000003
【図２】
2005223425.tif 000004
【図３】
2005223425.tif 000005
【図４】
2005223425.tif 000006
【図５】
2005223425.tif 000007
【図６】
2005223425.tif 000008
【図７】
2005223425.tif 000009
【図８】
2005223425.tif 000010